(57)【要約】【課題】  ディジタルテレビ放送に含まれるＱＲコードを適切に表示することができる「ディジタルテレビ放送受信装置」を提供する。【解決手段】  ディジタルテレビ放送受信装置１０は、ディジタルテレビ放送を受信する受信機本体１００と受信機本体とデータ通信が可能な携帯端末２００とを備え、受信機本体１００は、受信したディジタルテレビ信号に含まれるＱＲコードを判別し、ディジタルテレビ信号からＱＲコードを抽出するＱＲコード判別・抽出部１６０と、抽出されたＱＲコードを携帯端末へ送信するデータ通信部１８０とを有し、携帯端末２００は、ＱＲコードを受信するデータ通信部２１０と、受信したＱＲコードを表示する表示部２２０とを有している。【選択図】  図１
2006246056.tif 000002
【特許請求の範囲】
【請求項１】
ディジタルテレビ放送を受信する受信機本体と、受信機本体とデータ通信が可能な携帯端末とを備えたディジタルテレビ放送受信装置であって、
受信機本体は、受信したディジタルテレビ信号に含まれる二次元コード情報を判別し、ディジタルテレビ信号から二次元コード情報を抽出する抽出手段と、抽出された二次元コード情報を携帯端末へ送信する送信手段とを有し、
携帯端末は、二次元コード情報を受信する受信手段と、二次元コード情報を表示可能な表示手段とを有する、
ディジタルテレビ放送受信装置。
【請求項２】
携帯端末はさらに、受信した二次元コード情報を蓄積する第１のメモリを含み、表示手段は、第１のメモリに蓄積された二次元コード情報を表示する、請求項１に記載のディジタルテレビ放送受信装置。
【請求項３】
携帯端末はさらに、二次元コード情報を解読する解読手段を含み、表示手段は、解読された内容を表示する、請求項１または２に記載のディジタルテレビ放送受信装置。
【請求項４】
解読手段は、ユーザの入力に応答して二次元コード情報を解読する、請求項３に記載のディジタルテレビ放送受信装置。
【請求項５】
表示手段は、受信した二次元コード情報のリストを表示する、請求項１に記載のディジタルテレビ放送受信装置。
【請求項６】
受信機本体はさらに、抽出された二次元コード情報を蓄積する第２のメモリを含み、送信手段は、第２のメモリに蓄積された二次元コード情報を送信する、請求項１に記載のディジタルテレビ放送受信装置。
【請求項７】
送信手段は、携帯端末からの送信要求に応答して、第２のメモリに蓄積された二次元コード情報を送信する、請求項６に記載のディジタルテレビ放送受信装置。
【請求項８】
携帯端末は、受信機本体の動作を遠隔制御するためのリモコンである、請求項１ないし７いずれか１つに記載のディジタルテレビ放送受信装置。
【請求項９】
ディジタルテレビ放送受信装置は車載用であり、送信手段は、車両の走行中に抽出した二次元コード情報を携帯端末へ送信する、請求項１ないし８いずれか１つに記載のディジタルテレビ放送受信装置。
【請求項１０】
ディジタルテレビ放送受信装置における二次元コード情報の表示方法であって、
受信したディジタルテレビ信号に含まれる二次元コード情報を判別し、ディジタルテレビ信号から二次元コード情報を抽出するステップと、
抽出された二次元コード情報を携帯端末へ送信するステップと、
携帯端末側において二次元コード情報を表示部に表示するステップと、
を有する二次元コード情報の表示方法。
【請求項１１】
二次元コード情報の表示方法はさらに、携帯端末側において二次元コード情報を解読するステップと、解読された内容を表示部に表示するステップを含む、請求項１０に記載の二次元コード情報の表示方法。
【請求項１２】
二次元コード情報の表示方法はさらに、携帯端末側において二次元コード情報をメモリに蓄積するステップと、蓄積された二次元コード情報を表示部に表示するステップを含む、請求項１０に記載の二次元コードの表示方法。
【発明の詳細な説明】
【技術分野】
【０００１】
本発明は、家庭用または車載用のディジタルテレビ放送受信装置に関し、特に、ディジタルテレビ信号に含まれる二次元コード情報の抽出および表示に関する。
【背景技術】
【０００２】
文字や数字などの情報を二次元の図形パターンとして、物体の表面や紙面に刻印しまたは印刷する二次元コードが利用されている。二次元コードには、マトリックス型のＱＲコード、データマトリックス、マキシコード等があり、スタック型にはＰＤＦ４１７などがある。ＱＲコードは、最小で２１×２１の白黒の二次元パターンを含み、図８に示すように、二次元パターンＰの左上、右上、左下の３箇所に、切り出しコードＣ１、Ｃ２、Ｃ３が含まれている。切り出しコードは、外側が７セル×７セルの正四角形の枠と、枠内に３セル×３セルの黒の正四角形とを有しており、切り出しコードは、ＱＲコードの位置検出用または判別用に利用される。
【０００３】
物体の表面等に印刷されたＱＲコードは、ＣＣＤカメラを内蔵した二次元コードリーダ（読取装置）によって読取ることができる。二次元コードリーダは、専用のリーダ以外に、例えば、携帯電話機やハンディタイプの端末装置を用いることができる。このようなＱＲコードは、非常に多くの文字や数字情報をコード化することができる。例えば、インターネットのホームページアドレス（ＵＲＬ）や商品の産地や特性等をコード化し、これらを携帯電話機に読取らせることで、面倒なデータ入力操作を省略したり、コードを解読することで内容を簡単に確認することができる。
【０００４】
例えば特許文献１は、低消費電力でハンディ機能を重視した無線通信式二次元コードリーダに関し、子機が、二次元コード画像を読み取りアナログデータを出力する光電変換手段と、アナログデータをデジタルデータに変換する回路と、デジタルデータを発信する送受信機とを有し、親機がデジタルデータを受信する送受信機と、受信したデジタルデータを処理する画像処理回路と、画像処理回路から出力される処理済みのデジタルデータを解読し、その文字データをコンピュータに出力するデコーダとを有している。
【０００５】
【特許文献１】特開平１１−２８２９４６号
【発明の開示】
【発明が解決しようとする課題】
【０００６】
ＱＲコードに代表される二次元コードは、印刷物に限らず、いろんな所で使用されつつある。特に、ＣＳディジタル放送、ＢＳディジタル方法、地上波ディジタル放送においても、コマーシャルなどのときに自社のホームページ（ＵＲＬ）や自社の商品を二次元コードにしてテレビ信号に重畳することが可能である。しかし、テレビ画面は、視聴者の位置から離れているため、視聴者が、テレビ画面上の二次元コードを二次元コードリーダにより正確に読取ることが出来にくいという問題がある。さらに、車載用テレビ受信装置の場合、車両の走行中は、テレビ画面が停止され、音声のみが出力されるため、テレビ画面上の二次元コードを事実上読取ることができないという問題がある。
【０００７】
本発明は、上記従来の課題を解決するために成されたものであって、ディジタルテレビ方法に含まれる二次元コードを適切に読み取ることができるように表示するディジタルテレビ放送受信装置および二次元コードの表示方法を提供することを目的とする。
さらに本発明は、車両の走行中に表示されない二次元コードであっても、リモコン等の携帯端末において、二次元コードを表示することが可能なディジタルテレビ放送受信装置を提供することを目的とする。
【課題を解決するための手段】
【０００８】
本発明に係るディジタルテレビ放送受信装置は、ディジタルテレビ放送を受信する受信機本体と受信機本体とデータ通信が可能な携帯端末とを備え、受信機本体は、受信したディジタルテレビ信号に含まれる二次元コード情報を判別し、ディジタルテレビ信号から二次元コード情報を抽出する抽出手段と、抽出された二次元コード情報を携帯端末へ送信する送信手段とを有し、携帯端末は、二次元コード情報を受信する受信手段と、二次元コード情報を表示可能な表示手段とを有している。
【０００９】
さらに本発明に係るディジタルテレビ放送受信装置における二次元コード情報の表示方法は、受信したディジタルテレビ信号に含まれる二次元コード情報を判別し、ディジタルテレビ信号から二次元コード情報を抽出するステップと、抽出された二次元コード情報を携帯端末へ送信するステップと、携帯端末側において二次元コード情報を表示部に表示するステップとを有するものである。
【発明の効果】
【００１０】
本発明に係るディジタルテレビ放送受信装置によれば、ディジタルテレビ信号に含まれる二次元コード情報を判別・抽出し、抽出された二次元コード情報を携帯端末に送信し、そこで表示可能にしたので、ユーザは、携帯端末に表示された二次元コードを、二次元コードリーダによって正確に読取ることができる。さらに、好ましくは、携帯端末側において二次元コード情報を記憶するメモリを備えることで、受信機本体のテレビ画面が切り替わったり、受信装置の電源がオフされた場合でも、メモリに記憶された二次元コードを随時表示させることができる。さらに、車載用受信装置の場合には、車両の走行中にテレビ画面が停止されるので、その間の放送された二次元コードを携帯端末側のメモリに蓄積しておけば、音から二次元コードの内容を確認することができる。
【発明を実施するための最良の形態】
【００１１】
以下、本発明の最良の実施の形態について図面を参照して詳細に説明する。
【実施例】
【００１２】
図１は、本発明の実施例に係るディジタルテレビ放送受信装置の構成を示すブロック図である。ディジタルテレビ放送受信装置１０は、ディジタルテレビ放送を受信する受信機本体１００、受信機本体１００とデータ通信が可能な携帯端末２００、受信機本体１００に接続されたアンテナ３００、スピーカ３１０、ディスプレイ３２０、操作部３３０を含んでいる。
【００１３】
受信機本体１００は、アンテナ３００により受信された高周波ディジタル変調信号から制御信号Ｓに応答して特定の周波数の信号を取り出すディジタルチューナ１１０と、ディジタルチューナ１１０により取り出されたディジタル変調信号をオーディオ信号とビデオ信号に分離するディマルチプレクサ（ＤＥＭＡＸ）１２０と、オーディオ信号およびビデオ信号をデコードするデコーダ１３０と、デコードされたオーディオ信号をアナログオーディオ信号に変換する処理等を行い、これをスピーカ３１０へ出力する音声処理部１４０と、デコードされたビデオ信号を画像表示用フォーマットに変換し、これをディスプレイ３２０へ出力する映像処理部１５０とを含んでいる。
【００１４】
さらに受信機本体１００は、ディジタルテレビ信号に含まれるＱＲコードを自動的に判別し、これを抽出するＱＲコード判別・抽出部１６０と、種々のプログラム（例えば、抽出されたＱＲコードを送信するためのソフトウエア）や抽出されたＱＲコード等のデータを記憶可能なメモリ１７０と、携帯端末２００との間でデータ通信を可能にするデータ通信部１８０と、各部を制御するシステム制御部１９０を備えている。
【００１５】
受信機本体１００へのコマンドの指示は、受信機本体１００に直接接続された操作部３３０により行うか、あるいは携帯端末２００によって行うことができる。携帯端末２００は、無線または有線によってデータ通信部１８０とデータの送受信が可能である。携帯端末２００は、好ましくは受信機本体１００に付属の専用のリモコンであるが、これ以外にも、汎用の携帯電話機や他のポータブル端末を用いることができる。携帯電話機や他のポータブル端末を用いる場合には、機種によってデータ通信の互換性が損なわれないようにするため、データ通信部１８０は、ＩＥＥＥなどによって規格化されたブルーツース通信や無線ＬＡＮ通信などを実行する機能を有することが望ましい。
【００１６】
図２(ａ)は、携帯端末が専用のリモコンであるときの外観斜視図であり、図２(ｂ)は、その内部構成を示すブロック図である。携帯端末２００は、受信機本体１００とデータの送受信を可能にするデータ通信部２１０と、文字や図形等を表示する表示部２２０と、コマンドを入力するためのキー操作部２３０と、データやプログラム等を記憶可能なメモリ２４０と、各部を制御する制御部２５０を含んでいる。
【００１７】
次に、本実施例の受信装置におけるＱＲコードの表示方法について説明する。先ず、アンテナ３００を介して所望のチャンネルのディジタルテレビ放送がチューナ１１０によって受信される。受信されたディジタルテレビ信号は、ＤＥＭＡＸ１２０によりオーディオ信号およびビデオ信号に分離され、オーディオ信号およびビデオ信号はデコーダ１２０によりデコードされる。オーディオ信号は、音声処理部１４０によりＤ／Ａ変換および増幅処理をされ、スピーカ３１０から音声出力される。ビデオ信号は、映像処理部１５０においてディスプレイ３２０のフレームの画像フォーマットデータに変換され、そのデータがディスプレイ３２０に表示される。
【００１８】
以上の動作は、通常のディジタルテレビ放送の受信と変わらないが、本実施例ではさらに、ＱＲコード判別・抽出部１６０が、映像処理部１５０から画像フォーマットデータを受け取り、この画像フォーマットデータにＱＲコードが含まれているか否かを判別し、含まれていると判別したときは、そのＱＲコードを抽出する処理を行う。なお、ＱＲコード判別・抽出部１６０の詳細は後述する。
【００１９】
ＱＲコード判別・抽出部１６０は、抽出したＱＲコードをシステム制御部１９０へ供給し、システム制御部１９０は、ＱＲコードをメモリ１７０に一次記憶し、その後、記憶したＱＲコードをデータ通信部１８０を介して携帯端末２００へ送信する。
【００２０】
携帯端末２００は、データ通信部２１０を介してＱＲコードを受信すると、ＱＲコードを一旦メモリ２４０に記憶する。制御部２５０は、メモリ２４０に記憶されたＱＲコードを表示部２２０に表示する。表示の方法は、例えばＱＲコードを受信すると、自動的にＱＲコードを表示部２２０に表示するようにしてもよいし、キー操作部２３０からの指示に応じてＱＲコードをメモリ２４０から読出し、これを表示部２２０に表示してもよい。あるいは、メモリ２４０に一定量のＱＲコードが蓄積されたとき、これを順次読出し、表示部２２０に表示させたり、タイマー管理により一定の時間がきたときに、メモリ２４０からＱＲコードを読み出して表示部２２０に表示させてもよい。
【００２１】
ユーザは、携帯端末の表示部２２０に表示されたＱＲコードを、ＱＲコードリーダにより至近距離から正確に読取ることができる。ＱＲコードは、テレビ放送の番組中に、番組に関する情報を（例えば、クイズ番組におけるクイズの回答先、懸賞の応募先、アンケートの回答先）をＱＲコードとして重畳させ、ユーザは、このＱＲコードを読み取ることで、煩雑なデータ入力操作を省略することができる。あるいは、コマーシャル放送において、ホームページアドレスや商品の説明を行っているＵＲＬをＱＲコード化することも可能である。
【００２２】
このように本実施例によれば、テレビ信号に含まれるＱＲコードを、携帯端末２００の表示部２２０に表示させることで、視聴者は、受信機本体に接続されたディスプレイ３２０から離れた位置にあっても、携帯電話機などのＱＲコードリーダを用いて、ＱＲコードを正確に読み取ることができる。また、テレビ画面が切り替わったり、受信装置の電源がオフされた場合でも、携帯端末側のメモリにＱＲコードが蓄積されているので、必要なときに表示部２２０に表示させることができる。
【００２３】
図３は、ＱＲコード判別・抽出部１６０の構成を示すブロック図である。ＱＲコード判別・抽出部１６０は、映像処理部１５０からの画像フォーマットデータＤを入力する画像キャプチャー部１６２と、画像キャプチャー部１６２によりキャプチャーされた画像からＱＲコードを判別するＱＲコード判別部１６４と、判別されたＱＲコードを抽出するＱＲコード抽出部１６６とを有している。
【００２４】
画像キャプチャー部１６２は、一定の時間間隔で画像フォーマットデータをキャプチャーし、ディスプレイ３２０の画像フレームに相当する画素からなる白黒のビットマップイメージデータを作成する。ＱＲコードは白黒で表示される二次元パターンであり、ＱＲコードがテレビ信号に重畳されている場合には、このビットマップイメージデータに含まれていることになる。
【００２５】
ＱＲコード判別部１６４は、ビットマップイメージデータの中に、白黒のドットがどのような形で集まっているかを判別する。判別は、例えばビットマップイメージデータの左上から水平方向に順にスキャンする。ＱＲコードには、図８に示したように、左上、右上、左下の３箇所に切り出しコードＣ１、Ｃ２、Ｃ３が存在するので、このような白黒ビットパターンがある領域の判別を行う。
【００２６】
切り出しコードが見つかったら、次に、ＱＲコードのバージョンを判別する。左上−右上、左上−左下の切り出しコードまでの距離(ドット数)を求め、バージョンを判別する。すなわち、ＱＲコードは、バージョン１は、縦横２１ドットから構成され、バージョン２は、縦横２５ドットから構成され、バージョンが１つ増えると４ドットずつ増えるようになっている。
【００２７】
ＱＲコード判別部１６４によりＱＲコードが判別されたら、次に、ＱＲコード抽出部１６６において、ＱＲコードの二次元パターンが取り取られる。ＱＲコードの領域が判別できているので、ビットマップイメージからＱＲコードのイメージ部分が抽出される。
【００２８】
次に、ＱＲコードの他の表示例について説明する。受信機本体１００は、テレビ信号に含まれるＱＲコードを抽出し、それらを順次携帯端末２００へ送信する。これに応じて、携帯端末側のメモリ２４０には、ＱＲコードが順次蓄積されていく。こうした場合、ＱＲコードの表示を容易にするために、制御部２５０は、図４に示すような管理テーブルをメモリ２４０内に作成する。管理テーブルは、ＱＲコードを受信した時間、ＱＲコードが含まれていたチャンネル情報、ＱＲコードを記憶したアドレスを含む。なお、チャンネル情報は、システム制御部１９０からＱＲコードと一緒に送信されるものとする。
【００２９】
制御部２５０は、管理テーブルに基づき、図５に示すような受信したＱＲコードのリスト（一覧）を表示部２２０に表示する。リストは、ＱＲコードの受信時間とチャンネル情報とを含み、キー操作部２３０を操作することでスクロール表示される。ユーザは、キー操作部２３０を介してリストの中から所望のＱＲコードに関するものを選択すると、制御部２５０は、この選択に応じて、該当するＱＲコードを読み出し、これを表示部２２０に表示させる。例えば、ユーザが、図５に示すリスト表示から番号「１」を選択すると、制御部２５０は、管理テーブルを参照し、ａｄｄ＃０１からＱＲコードを読出し、表示部２２０に表示させる。このようなリスト表示を行うことで、蓄積された大量のＱＲコードの中から所望のＱＲコードを容易に選択し、表示させることができる。
【００３０】
さらに他の表示例について説明する。受信機本体１００は、ＱＲコード判別・抽出部１６０により抽出されたＱＲコードを、メモリ１７０に蓄積するようにしてもよい。この場合、システム制御部１９０は、図４に示すような管理テーブルをメモリ１７０に作成し、管理テーブルの情報をデータ通信部１８０を介して携帯端末２００へ送信する。
【００３１】
携帯端末側の制御部２５０は、受信した管理テーブルに基づき、上記のときと同様に表示部２２０にＱＲコードに関するリストを表示する（図５を参照）。そして、ユーザから所望のＱＲコードに関する選択があると、制御部２５０は、データ通信部２１０を介して、システム制御部１９０に対し、該当するＱＲコードの送信を要求する。これに応答して、システム制御部１９０は、メモリ１７０からＱＲコードを読出し、このＱＲコードを携帯端末２００へ送信する。制御部２５０は、受信したＱＲコードを表示部２２０に表示する。
【００３２】
このような表示方法により、ユーザにとって興味のあるＱＲコードのみが携帯端末側へ送信されるので、不要なＱＲコードを送信する手間が省け、同時に、携帯端末側のメモリ２４０の容量を小さくすることができる。
【００３３】
次に、本発明の第２の実施例について説明する。第２の実施例では、図６に示すように、携帯端末２０２が、ＱＲコードを解読するためのコード解読部２６０を備えている。制御部２５０は、表示部２２０にＱＲコードを表示させることに加え、コード解読部２６０により解読された文字または数字等情報を表示部２２０に表示させる。例えば、表示部２２０にＱＲコードが表示されている状態から、ユーザがキー操作部２３０の「変換ボタン」を押下したときに、ＱＲコードの解読結果を表示させることができる。これにより、ＱＲコードリーダを用いることなく、携帯端末２００に、ＱＲコードの解読結果を表示することができる。
【００３４】
次に本発明の第３の実施例について説明する。図７は、車載用ディジタルテレビ放送受信装置の構成を示す図である。同図に示すように、受信装置１２は、受信機本体１００と、携帯端末２００と、車両状態に関する情報を提供する車両情報供給部４００とを備えている。車両情報供給部４００は、車両が走行中であるか否かを示す車両情報、例えば、パーキングのオン・オフ情報あるいは車両の速度情報を供給する。
【００３５】
システム制御部１９０は、車両情報に応答して、車両が走行中であると判定したときは、安全上の規則によりディスプレイ３２０への映像出力を停止させる。したがって、オーディオ信号のみがスピーカ３１０から音声出力される。映像出力が停止されている期間中、システム制御部１９０は、ＱＲコード判別・抽出部１６０によって抽出されたＱＲコードをメモリ１７０に蓄積し、蓄積されたＱＲコードを携帯端末２００へ送信する。送信は、随時行っても良いし、携帯端末からの指示に応じて行っても良い。これにより、運転者もしくは同乗者は、リアルタイムまたは希望するときに、携帯端末においてＱＲコードを表示させ、これをＱＲコードリーダによって読取ることができる。また、第２の実施例のときのように、コード解読部を備えていれば、解読した文字または数字情報を表示させることができる。
【００３６】
以上、本発明の好ましい実施の形態について詳述したが、本発明に係る特定の実施形態に限定されるものではなく、特許請求の範囲に記載された本発明の要旨の範囲内において、種々の変形・変更が可能である。
【００３７】
上記実施例では、ＱＲコードを例に説明したが、これ以外の二次元コードを用いても同様の表示を行うことが可能である。
【産業上の利用可能性】
【００３８】
本発明に係るディジタルテレビ放送受信装置は、車載用、携帯用、家庭用などにおいて広く利用することができる。
【図面の簡単な説明】
【００３９】
【図１】本発明の実施例に係るディジタルテレビ放送受信装置の構成を示すブロック図である。
【図２】図２（ａ）は携帯端末の外観構成を示す斜視図、図２(ｂ)はその内部構成を示すブロック図である。
【図３】ＱＲコード判別・抽出部の構成を示すブロック図である。
【図４】携帯端末側のメモリの管理テーブルを説明する図である。
【図５】携帯端末にリスト表示を行う例を示す図である。
【図６】第２の実施例に係る携帯端末の構成を示す図である。
【図７】第３の実施例に係る車載用ディジタルテレビ放送受信装置の構成を示す図である。
【図８】ＱＲコードの切り出しパターンを示す図である。
【符号の説明】
【００４０】
１０：ディジタルテレビ放送受信装置    １００：受信機本体
１１０：チューナ                      １２０：ＤＥＭＡＸ
１３０：デコーダ                      １４０：音声処理部
１５０：映像処理部                    １６０：ＱＲコード判別・抽出部
１６２：画像キャプチャー部            １６４：ＱＲコード判別部
１６６：ＱＲコード抽出部              １７０：メモリ
１８０：データ通信部                  １９０：システム制御部
２００：携帯端末                      ２１０：データ通信部
２２０：表示部                        ２３０：キー操作部
２４０：メモリ                        ２５０：制御部
【図１】
2006246056.tif 000003
【図２】
2006246056.tif 000004
【図３】
2006246056.tif 000005
【図４】
2006246056.tif 000006
【図５】
2006246056.tif 000007
【図６】
2006246056.tif 000008
【図７】
2006246056.tif 000009
【図８】
2006246056.tif 000010